(57)【要約】【課題】  ＰＤＰの駆動時に発生する異音を、視聴用音声を損なうことなく低減する。【解決手段】  ＰＤＰ１０と、ＰＤＰ１０の駆動信号を生成する駆動信号生成手段１１を備える。ＰＤＰ１０の駆動時に発生する異音の周波数成分の信号を駆動信号から抽出するバンドパスフィルタ１３と、抽出された信号を反転して出力する信号反転手段１５と、信号反転手段より出力される信号を音声化して出力するスピーカ１９とを備える。選択候補として予め設定された複数種類の周波数の中から、バンドパスフィルタ１３により抽出する信号の周波数を選択及び設定する周波数設定手段１４を備える。異音の大きさを駆動信号に基づいて解析する音量解析手段２１と、その解析結果に応じて、バンドパスフィルタ１３により抽出された信号の増幅率を設定する増幅率設定手段２２，２３とを備える。【選択図】    図５
2007286543.tif 000002
【特許請求の範囲】
【請求項１】
プラズマディスプレイパネルと、
前記プラズマディスプレイパネルの駆動信号を生成する駆動信号生成手段と、
前記駆動信号生成手段により生成された駆動信号から、前記プラズマディスプレイパネルの駆動時に該プラズマディスプレイパネルから発生することが想定される音の周波数成分の信号を抽出するバンドパスフィルタと、
前記バンドパスフィルタにより抽出された信号を反転して出力する信号反転手段と、
前記信号反転手段より出力される信号を音声化して出力するスピーカと、
を備えることを特徴とするプラズマ表示装置。
【請求項２】
前記バンドパスフィルタにより抽出する信号の周波数を設定する周波数設定手段を更に備えることを特徴とする請求項１に記載のプラズマ表示装置。
【請求項３】
前記周波数設定手段は、選択候補として予め設定された複数種類の周波数の中から、前記バンドパスフィルタにより抽出する信号の周波数を選択することを特徴とする請求項２に記載のプラズマ表示装置。
【請求項４】
前記周波数設定手段は、前記プラズマディスプレイパネルの種類と、前記プラズマディスプレイパネルを駆動する方法の種類と、のうちの少なくとも何れか一方に応じて、前記バンドパスフィルタにより抽出する信号の周波数を設定することを特徴とする請求項２又は３に記載のプラズマ表示装置。
【請求項５】
視聴用音声信号と、前記信号反転手段より出力される信号と、を加算して出力する加算手段を更に備え、
前記スピーカは、前記加算手段から出力される信号を音声化して出力することを特徴とする請求項１乃至４の何れか一項に記載のプラズマ表示装置。
【請求項６】
前記プラズマディスプレイパネルの駆動時に該プラズマディスプレイパネルから発生することが想定される音の大きさを、前記駆動信号生成手段により生成された駆動信号に基づいて解析する音量解析手段と、
前記音量解析手段による解析結果に応じて、前記バンドパスフィルタにより抽出された信号の増幅率を設定する増幅率設定手段と、
を備えることを特徴とする請求項１乃至５のプラズマ表示装置。
【請求項７】
前記プラズマディスプレイパネルの駆動時に該プラズマディスプレイパネルから発生することが想定される音の大きさを、前記駆動信号生成手段により生成された駆動信号に基づいて解析する音量解析手段と、
前記音量解析手段による解析結果に応じて、前記バンドパスフィルタにより抽出された信号の増幅率を設定する増幅率設定手段と、
を更に備え、
前記周波数設定手段は、前記音量解析手段による解析対象の音の周波数を設定することを特徴とする請求項２に記載のプラズマ表示装置。
【請求項８】
前記信号反転手段は、前記バンドパスフィルタにより抽出された信号を反転し、前記増幅率設定手段により設定された増幅率で増幅して出力する信号反転増幅手段であることを特徴とする請求項６又は７に記載のプラズマ表示装置。
【請求項９】
プラズマディスプレイパネルを備えるプラズマ表示装置を駆動する方法において、
前記プラズマディスプレイパネルの駆動信号を生成する第１の過程と、
前記第１の過程により生成された駆動信号から、前記プラズマディスプレイパネルの駆動時に該プラズマディスプレイパネルから発生することが想定される音の周波数成分の信号を抽出する第２の過程と、
前記第２の過程により抽出された信号を反転する第３の過程と、
前記第３の過程より生成された信号を音声化して出力する第４の過程と、
を備えることを特徴とするプラズマ表示装置の駆動方法。
【請求項１０】
前記プラズマディスプレイパネルの駆動時に該プラズマディスプレイパネルから発生することが想定される音の大きさを、前記第１の過程により生成された駆動信号に基づいて解析する第５の過程と、
前記第５の過程による解析結果に応じて、前記第２の過程により抽出された信号の増幅率を設定する第６の過程と、
前記第６の過程により設定された増幅率で、前記第２の過程により抽出された信号を増幅する第７の過程と、
を備えることを特徴とする請求項９に記載のプラズマ表示装置の駆動方法。
【発明の詳細な説明】
【技術分野】
【０００１】
本発明は、プラズマ表示装置及びその駆動方法に関する。
【背景技術】
【０００２】
プラズマディスプレイパネル（以下、ＰＤＰと称す）は、一対の基板間に形成された気密空間内を、ストライプ状又はマトリクス状に区画して複数の放電空間を形成し、これらの複数の放電空間内で選択的に放電を発生させることにより画像表示を行うものである。
【０００３】
図１は、ＰＤＰ１０の表示セル構造の一例を示す断面図である。
【０００４】
図１に示すように、ＰＤＰ１０は、相互に対向して配置された前面基板１及び背面基板４を備えている。
【０００５】
このうち前面基板１には表示電極２及び誘電体層３が設けられている。
【０００６】
また、背面基板４には、誘電体層５と、この誘電体層５上に所定間隔で形成された隔壁６と、が設けられている。
【０００７】
また、前面基板１の周辺部と背面基板４の周辺部との間には、放電空間を封止するための封着材９が介在されている。
【０００８】
このように前面基板１、背面基板４及び隔壁６により区画される微細空間が放電空間であり、その放電空間内には、アドレス電極７及びＲＧＢ各色の蛍光体層８ａ、８ｂ、８ｃが形成され、ネオン、キセノンなどを混合させた放電ガスが注入されている。
【０００９】
このようなＰＤＰ１０では、表示電極２、アドレス電極７間に電圧を印加して、放電空間内面に形成した蛍光体層８ａ、８ｂ、８ｃを選択的に放電発光させることにより、画像を表示する。
【００１０】
次に、このようなＰＤＰ１０を製造する方法の一例について簡単に説明する。
【００１１】
前面基板１の片面に、表示電極２及び誘電体層３といったパネル構成要素を順次形成する前面パネル形成工程と、背面基板４の片面に、アドレス電極７、隔壁６、蛍光体層８ａ、８ｂ、８ｃといったパネル構成要素を順次形成する背面パネル形成工程とにより、前面パネルと背面パネルを形成する。そして、前面パネル及び背面パネルをそれぞれパネル構成要素が対向するように重ねて、前面基板１と背面基板４の周辺部を封着材９により封止する封止工程を行う。その後に貼り合わされた２枚の基板間１、４に形成された放電空間からの排気を行い、そこに放電ガスを封入した後、エージングを行う。
【００１２】
ここで、上記の封止工程では、前面基板１と背面基板４のいずれか一方又は両方の周辺部に、低融点フリットガラスからなる封着材９をスクリーン印刷法などによって枠状に塗布し、仮焼成して封着層を形成する。そして、両基板１、４を重ね合わせて、互いに押し当てた状態で約４００°Ｃの熱処理を行う。これによって、封着材９が軟化し、この軟化した封着材９により両基板１、４を互いに融着して、両基板１、４間の空間が封止される。
【００１３】
このように製造されるＰＤＰ１０によると、封止工程によって熱処理がなされた後、軟化・融着した封着層の強度が充分に得られない状態で排気及び放電ガス封入工程による圧力変動が加えられるため、各基板１、４の周辺では端部が彎曲する現象が生じ、各基板１、４の中央付近では放電ガスの封入圧によって基板間隔が離れる現象が生じる。
【００１４】
また、封着材９の収縮によって各基板１、４に撓みが生じた状態では、各基板１、４の彎曲によって表示品質が低下すると共に、隔壁６と前面基板１間に間隙が生じ、その部分がパネル駆動時に振動することにより、異音が発生するという問題が生じる。
【００１５】
このように、ＰＤＰ１０には、表示動作中に異音が生じることがあるという問題がある。
【００１６】
このような問題の解決を図った技術が、例えば特許文献１に開示されている。
【００１７】
特許文献１に開示された表示装置は、パネル駆動時にパネルから発生する異音を検出する異音検出手段として機能するマイクロホンと、このマイクロホンにより検出された異音の信号波を位相反転した信号を生成する反転増幅回路と、この反転増幅回路により生成された信号を入力して位相反転音を放射する異音打消用スピーカと、を備えている。
【００１８】
特許文献１の表示装置によれば、異音打消用スピーカから放射される位相反転音により異音を打ち消して低減することができる。
【００１９】
なお、特許文献１の表示装置の異音打消用スピーカは、メインのスピーカ（テレビ放送やビデオなどの音声を出力するスピーカ）とは別個に設けられた、異音打ち消し専用のスピーカである。
【特許文献１】特開２００５−１０８６８０号公報
【発明の開示】
【発明が解決しようとする課題】
【００２０】
しかしながら、特許文献１の技術では、異音検出手段としてのマイクロホンが、異音だけではなく、スピーカから出力されるテレビ放送やビデオなどの音声、すなわち表示装置の視聴者が聴きたい視聴用音声をも検出してしまう虞がある。
【００２１】
マイクロホンが視聴用音声を検出すると、この視聴用音声の信号波を位相反転した信号が反転増幅回路により生成され、この反転増幅回路により生成された信号に基づく位相反転音が異音打消用スピーカから放出される結果、視聴用音声が打ち消されて、該視聴用音声の品質が低下してしまうという問題が生じる。
【００２２】
本発明が解決しようとする課題には、上記した問題が一例として挙げられる。
【課題を解決するための手段】
【００２３】
請求項１に記載の発明は、プラズマディスプレイパネルと、前記プラズマディスプレイパネルの駆動信号を生成する駆動信号生成手段と、前記駆動信号生成手段により生成された駆動信号から、前記プラズマディスプレイパネルの駆動時に該プラズマディスプレイパネルから発生することが想定される音の周波数成分の信号を抽出するバンドパスフィルタと、前記バンドパスフィルタにより抽出された信号を反転して出力する信号反転手段と、前記信号反転手段より出力される信号を音声化して出力するスピーカと、を備えることを特徴としている。
【００２４】
また、請求項９に記載の発明は、プラズマディスプレイパネルを備えるプラズマ表示装置を駆動する方法において、前記プラズマディスプレイパネルの駆動信号を生成する第１の過程と、前記第１の過程により生成された駆動信号から、前記プラズマディスプレイパネルの駆動時に該プラズマディスプレイパネルから発生することが想定される音の周波数成分の信号を抽出する第２の過程と、前記第２の過程により抽出された信号を反転する第３の過程と、前記第３の過程より生成された信号を音声化して出力する第４の過程と、を備えることを特徴としている。
【発明を実施するための最良の形態】
【００２５】
次に、実施形態を説明する。
【００２６】
本実施形態に係るプラズマ表示装置は、プラズマディスプレイパネルと、前記プラズマディスプレイパネルの駆動信号を生成する駆動信号生成手段と、前記駆動信号生成手段により生成された駆動信号から、前記プラズマディスプレイパネルの駆動時に該プラズマディスプレイパネルから発生することが想定される音の周波数成分の信号を抽出するバンドパスフィルタと、前記バンドパスフィルタにより抽出された信号を反転して出力する信号反転手段と、前記信号反転手段より出力される信号を音声化して出力するスピーカと、を備えることを特徴としている。
【００２７】
本実施形態に係るプラズマ表示装置においては、前記バンドパスフィルタにより抽出する信号の周波数を設定する周波数設定手段を更に備えることが好ましい。
【００２８】
本実施形態に係るプラズマ表示装置においては、前記周波数設定手段は、選択候補として予め設定された複数種類の周波数の中から、前記バンドパスフィルタにより抽出する信号の周波数を選択することが好ましい。
【００２９】
本実施形態に係るプラズマ表示装置においては、前記周波数設定手段は、前記プラズマディスプレイパネルの種類と、前記プラズマディスプレイパネルを駆動する方法の種類と、のうちの少なくとも何れか一方に応じて、前記バンドパスフィルタにより抽出する信号の周波数を設定することが好ましい。
【００３０】
本実施形態に係るプラズマ表示装置においては、視聴用音声信号と、前記信号反転手段より出力される信号と、を加算して出力する加算手段を更に備え、前記スピーカは、前記加算手段から出力される信号を音声化して出力することが好ましい。
【００３１】
本実施形態に係るプラズマ表示装置においては、前記プラズマディスプレイパネルの駆動時に該プラズマディスプレイパネルから発生することが想定される音の大きさを、前記駆動信号生成手段により生成された駆動信号に基づいて解析する音量解析手段と、前記音量解析手段による解析結果に応じて、前記バンドパスフィルタにより抽出された信号の増幅率を設定する増幅率設定手段と、を備えることが好ましい。
【００３２】
本実施形態に係るプラズマ表示装置においては、前記プラズマディスプレイパネルの駆動時に該プラズマディスプレイパネルから発生することが想定される音の大きさを、前記駆動信号生成手段により生成された駆動信号に基づいて解析する音量解析手段と、前記音量解析手段による解析結果に応じて、前記バンドパスフィルタにより抽出された信号の増幅率を設定する増幅率設定手段と、を更に備え、前記周波数設定手段は、前記音量解析手段による解析対象の音の周波数を設定することが好ましい。
【００３３】
本実施形態に係るプラズマ表示装置においては、前記信号反転手段は、前記バンドパスフィルタにより抽出された信号を反転し、前記増幅率設定手段により設定された増幅率で増幅して出力する信号反転増幅手段であることが好ましい。
【００３４】
また、本実施形態に係るプラズマ表示装置の駆動方法は、前記プラズマディスプレイパネルの駆動信号を生成する第１の過程と、前記第１の過程により生成された駆動信号から、前記プラズマディスプレイパネルの駆動時に該プラズマディスプレイパネルから発生することが想定される音の周波数成分の信号を抽出する第２の過程と、前記第２の過程により抽出された信号を反転する第３の過程と、前記第３の過程より生成された信号を音声化して出力する第４の過程と、を備えることを特徴としている。
【００３５】
本実施形態に係るプラズマ表示装置の駆動方法においては、前記プラズマディスプレイパネルの駆動時に該プラズマディスプレイパネルから発生することが想定される音の大きさを、前記第１の過程により生成された駆動信号に基づいて解析する第５の過程と、前記第５の過程による解析結果に応じて、前記第２の過程により抽出された信号の増幅率を設定する第６の過程と、前記第６の過程により設定された増幅率で、前記第２の過程により抽出された信号を増幅する第７の過程と、を備えることが好ましい。
【００３６】
以上のような実施形態によれば、プラズマディスプレイパネルと、前記プラズマディスプレイパネルの駆動信号を生成する駆動信号生成手段と、前記駆動信号生成手段により生成された駆動信号から、前記プラズマディスプレイパネルの駆動時に該プラズマディスプレイパネルから発生することが想定される音の周波数成分の信号を抽出するバンドパスフィルタと、前記バンドパスフィルタにより抽出された信号を反転して出力する信号反転手段と、前記信号反転手段より出力される信号を音声化して出力するスピーカと、を備えるので、プラズマディスプレイパネルの駆動時に該プラズマディスプレイパネルから発生する異音を打ち消して抑制することができる。しかも、プラズマディスプレイパネルの駆動信号から、異音を打ち消す音声の元となる信号を生成しているので、特許文献１の問題は発生しない。すなわち、視聴用音声の音量・音質などを損なうといった弊害の無い異音低減が可能となる。
【実施例１】
【００３７】
図２は実施例１に係るプラズマ表示装置１００の構成を示すブロック図である。
【００３８】
図２に示すように、実施例１に係るプラズマ表示装置１００は、表示動作を行うプラズマディスプレイパネル１０（以下、ＰＤＰ１０）と、ＰＤＰ１０を駆動させる駆動波形（駆動信号）を、入力される画像信号に基づき生成する駆動波形生成手段１１と、この駆動波形生成手段１１により生成された駆動信号に基づきＰＤＰ１０を駆動させるドライブ回路１２と、ＰＤＰ１０の駆動時に該ＰＤＰ１０から発生することが想定される音の周波数成分の信号を、駆動波形生成手段１１により生成された駆動信号から抽出する特定周波数バンドパスフィルタ１３と、駆動波形生成手段１１により生成された駆動信号の中から選択された信号を特定周波数バンドパスフィルタ１３に入力させるセレクタ２４と、特定周波数バンドパスフィルタ１３により抽出する信号の周波数（特定周波数）を設定する打ち消し対象ノイズ周波数設定手段１４と、特定周波数バンドパスフィルタ１３により抽出された信号を反転及び増幅して出力する反転増幅器１５と、スピーカ１９より出力される視聴用音声の元となる音声信号（視聴用音声信号）を増幅して出力するオーディオ・プリアンプ１６と、このオーディオ・プリアンプ１６より出力される音声信号と、反転増幅器１５より出力される信号と、を加算して出力する加算手段１７と、この加算手段１７より出力される信号を増幅して出力するオーディオ・メインアンプ１８と、このオーディオ・メインアンプ１８より出力される信号を音声化して出力（放音）するスピーカ１９と、を備えて構成されている。
【００３９】
図１は、ＰＤＰ１０の表示セル構造の一例を示す断面図である。
【００４０】
図１に示すように、ＰＤＰ１０は、相互に対向して配置された前面基板１及び背面基板４を備えている。
【００４１】
このうち前面基板１には表示電極２及び誘電体層３が設けられている。
【００４２】
また、背面基板４には、誘電体層５と、この誘電体層５上に所定間隔で形成された隔壁６と、が設けられている。
【００４３】
また、前面基板１の周辺部と背面基板４の周辺部との間には、放電空間を封止するための封着材９が介在されている。
【００４４】
このように前面基板１、背面基板４及び隔壁６により区画される微細空間が放電空間であり、その放電空間内には、アドレス電極７及びＲＧＢ各色の蛍光体層８ａ、８ｂ、８ｃが形成され、ネオン、キセノンなどを混合させた放電ガスが注入されている。
【００４５】
このようなＰＤＰでは、表示電極２、アドレス電極７間に電圧を印加して、放電空間内面に形成した蛍光体層８ａ、８ｂ、８ｃを選択的に放電発光させることにより、画像を表示する。
【００４６】
次に、このようなＰＤＰを製造する方法の一例について簡単に説明する。
【００４７】
前面基板１の片面に、表示電極２及び誘電体層３といったパネル構成要素を順次形成する前面パネル形成工程と、背面基板４の片面に、アドレス電極７、隔壁６、蛍光体層８ａ、８ｂ、８ｃといったパネル構成要素を順次形成する背面パネル形成工程とにより、前面パネルと背面パネルを形成する。そして、前面パネル及び背面パネルをそれぞれパネル構成要素が対向するように重ねて、前面基板１と背面基板４の周辺部を封着材９により封止する封止工程を行う。その後に貼り合わされた２枚の基板間１、４に形成された放電空間からの排気を行い、そこに放電ガスを封入した後、エージングを行う。
【００４８】
ここで、上記の封止工程では、前面基板１と背面基板４のいずれか一方又は両方の周辺部に、低融点フリットガラスからなる封着材９をスクリーン印刷法などによって枠状に塗布し、仮焼成して封着層を形成する。そして、両基板１、４を重ね合わせて、互いに押し当てた状態で、例えば約４００°Ｃの熱処理を行う。これによって、封着材９が軟化し、この軟化した封着材９により両基板１、４を互いに融着して、両基板１、４間の空間が封止される。
【００４９】
このように製造されるＰＤＰによると、封止工程によって熱処理がなされた後、軟化・融着した封着層の強度が充分に得られない状態で排気及び放電ガス封入工程による圧力変動が加えられるため、各基板１、４の周辺では端部が彎曲する現象が生じ、各基板１、４の中央付近では放電ガスの封入圧によって基板間隔が離れる現象が生じる。
【００５０】
また、封着材９の収縮によって各基板１、４に撓みが生じた状態では、各基板１、４の彎曲によって表示品質が低下すると共に、隔壁６と前面基板１間に間隙が生じ、その部分がパネル駆動時に振動することにより、異音が発生する。
【００５１】
次に、動作を説明する。
【００５２】
プラズマ表示装置１００には、画像信号及び音声信号（視聴用音声信号）が入力される。
【００５３】
このうち画像信号は駆動波形生成手段１１に入力される。
【００５４】
駆動波形生成手段１１は、ＰＤＰ１０を駆動させる駆動波形（駆動信号）を、画像信号に基づいて生成し、生成した駆動信号をドライブ回路１２及びセレクタ２４に出力する。
【００５５】
ドライブ回路１２は、駆動波形生成手段１１から入力される駆動信号に従ってＰＤＰ１０を駆動させる。
【００５６】
ＰＤＰ１０は、ドライブ回路１２により駆動される。すなわち、ＰＤＰ１０は表示動作を行う。
【００５７】
また、音声信号（視聴用音声信号）は、オーディオ・プリアンプ１６に入力され、該オーディオ・プリアンプ１６により増幅される。
【００５８】
ここで、オーディオ・プリアンプ１６による増幅率は、視聴者による音声ボリューム設定操作により設定される。
【００５９】
オーディオ・プリアンプ１６による増幅後の音声信号は、加算手段１７により後述するように異音打ち消し信号と加算される。
【００６０】
なお、ここでは、簡単のため、視聴者が視聴用音声のボリュームを設定することについてのみ言及しているが、そのほかに、音質が設定可能であっても良い。更に、本実施例では、簡単のため、スピーカ１９が１つのみである例を説明しているが、スピーカ１９が２つ（ステレオタイプ）の場合には、２つのスピーカ１９による音声出力バランスも視聴者により設定可能であっても良い。
【００６１】
従って、加算手段１７により特定周波数反転信号と加算される音声信号は、例えば、オーディオ・プリアンプ１６による増幅のみならず、視聴者により音質や音声出力バランスが設定された後の音声信号である。
【００６２】
加算手段１７による加算後の信号はオーディオ・メインアンプ１８により増幅された後でスピーカ１９に入力される。
【００６３】
スピーカ１９は、入力される信号、すなわち視聴用音声信号と異音打ち消し信号とが加算された信号を音声化して出力する。
【００６４】
これにより、プラズマ表示装置１００の視聴者は、ＰＤＰ１０に表示される画像及びスピーカ１９より出力される視聴用音声を視聴することができる。
【００６５】
ところで、ＰＤＰ１０においては、上記のように、表示動作中に異音が生じることがある。
【００６６】
そこで、本実施例に係るプラズマ表示装置１００においては、以下に説明するようにＰＤＰ１０から発生する異音が打ち消されて抑制される。
【００６７】
図３は、セレクタ２４の構成を示す図である。
【００６８】
図３に示すように、セレクタ２４には、駆動波形生成手段１１から各種の駆動信号が入力される。
【００６９】
具体的には、この駆動信号には、例えば、アドレス制御信号、スキャン制御信号、維持放電制御信号などが含まれ、それぞれ別個の信号伝達経路を介して駆動波形生成手段１１からセレクタ２４に入力されるようになっている。
【００７０】
セレクタ２４は、これら駆動信号のうちの何れか１つを選択的に特定周波数バンドパスフィルタ１３に対して出力するための切り替えを行うスイッチ２４１を備えている。
【００７１】
このスイッチ２４１は、駆動波形生成手段１１の制御下で切り替え制御され、セレクタ２４に入力される各種の駆動信号のうちの何れか１つを選択的に特定周波数バンドパスフィルタ１３に対して出力する。
【００７２】
駆動波形生成手段１１がスイッチ２４１をどのように切り替えるかについては後述する。
【００７３】
特定周波数バンドパスフィルタ１３は、ＰＤＰ１０の駆動時に該ＰＤＰ１０から発生することが想定される音（異音）の周波数成分の信号（特定周波数信号）を、駆動波形生成手段１１よりセレクタ２４を介して入力される駆動信号（例えば、アドレス制御信号、スキャン制御信号、維持放電制御信号のうちの何れか１つの信号）から抽出して出力する。
【００７４】
ここで、ＰＤＰ１０から発生される異音は、ＰＤＰ１０のパネル寸法の大きさや構造などの物理的要件（ＰＤＰ１０の固有振動数を決定する）と、ＰＤＰ１０の駆動法による制御系の要件と、に応じて、その周波数スペクトルが変わり、ピーク値の周波数も変わることが判明している。
【００７５】
このため、本実施例では、特定周波数バンドパスフィルタ１３により抽出される信号の周波数を可変にしている。
【００７６】
すなわち、本実施例では、特定周波数バンドパスフィルタ１３は、通過帯域が可変に構成された帯域可変フィルタからなる。
【００７７】
この特定周波数バンドパスフィルタ１３の通過帯域の設定値は、打ち消し対象ノイズ周波数設定手段１４により制御される。
【００７８】
上記のように、ＰＤＰ１０から発生することが想定される異音の周波数は、ＰＤＰ１０の構造や駆動方法に依存して変化する。
【００７９】
このため、打ち消し対象ノイズ周波数設定手段１４は、ＰＤＰ１０の種類と、その駆動方法の種類と、に応じて、特定周波数バンドパスフィルタ１３の通過帯域の設定値を複数種類の選択候補の中から選択する。
【００８０】
打ち消し対象ノイズ周波数設定手段１４は、選択した設定値を指示する制御信号を特定周波数バンドパスフィルタ１３に対して出力し、この制御信号を受けた特定周波数バンドパスフィルタ１３は、該制御信号に従って、通過帯域の設定値を変更する。
【００８１】
こうして、特定周波数バンドパスフィルタ１３は、ＰＤＰ１０の駆動時に該ＰＤＰ１０から発生することが想定される異音の周波数成分の信号を、駆動波形生成手段１１より入力される駆動信号から抽出して出力することとなる。
【００８２】
ここで、打ち消し対象ノイズ周波数設定手段１４は、図４に示すように、特定周波数バンドパスフィルタ１３の通過帯域の設定値を、予め複数種類記憶保持した不揮発性メモリ１４１を備えている。
【００８３】
これら複数種類の設定値は、それぞれ、予め実施された実験により、ＰＤＰ１０の種類と駆動方法との組み合わせごとに、最適な値が求められているものとする。
【００８４】
ここでは、簡単のため、例えば、プラズマ表示装置１００に組み込まれるＰＤＰ１０の候補が第１のパネルと第２のパネルの２種類であり、ＰＤＰ１０の駆動方法の候補が第１乃至第３の駆動方法の３種類であるものとする。
【００８５】
この場合、図４に示すように、ＰＤＰ１０の種類とその駆動方法の全て（６種類）の組み合わせに対して、それぞれ最適な周波数の設定値が予め求められ、不揮発性メモリ１４１の周波数設定値記憶領域１４１Ａに記憶保持されている。
【００８６】
また、不揮発性メモリ１４１は、ＰＤＰ１０の種類を示す識別情報が、プラズマ表示装置１００の製造工程にて書き込まれるパネル識別情報記憶領域１４１Ｂを備えている。
【００８７】
また、ＰＤＰ１０の駆動方法は、例えば、プラズマ表示装置１００の表示モードを選択するユーザの操作に応じて切り替わるようになっている。すなわち、具体的には、例えば、映画モード（画面の明るさを重視する一方で階調表現力を下げる表示モード）、省エネモード（消費電力を下げる表示モード）及びゲームモード（階調表現の緻密さを重視する一方で画面の明るさを下げる表示モード）の何れか１つのモードをユーザが操作により選択可能となっており、この選択操作の結果として、ＰＤＰ１０の駆動方法が切り替わるようになっている。すなわち、例えば、映画モードが選択されると第１の駆動方法、省エネモードが選択されると第２の駆動方法、ゲームモードが選択されると第３の駆動方法となるようになっているものとする。
【００８８】
従って、打ち消し対象ノイズ周波数設定手段１４は、ユーザの操作により選択された表示モードと対応する駆動方法と、パネル識別情報記憶領域１４１Ｂの記憶内容と、に応じて、周波数設定値記憶領域１４１Ａを参照することにより対応する周波数を選択し、この選択結果に基づき特定周波数バンドパスフィルタ１３の設定値を制御する。
【００８９】
また、駆動波形生成手段１１は、ＰＤＰ１０の種類とその駆動方法に応じて、適宜に所定のタイミングでセレクタ２４のスイッチ２４１を切り替える。すなわち、駆動波形生成手段１１は、ユーザの操作により選択された表示モードと対応する駆動方法と、パネル識別情報記憶領域１４１Ｂの記憶内容と、に応じて、適宜に所定のタイミングでセレクタ２４のスイッチ２４１を切り替える。スイッチ２４１の切り替えは、ＰＤＰ１０の種類とその駆動方法の組み合わせ毎に予め実施した実験により求められた最適なタイミングで行う。
【００９０】
反転増幅器１５は、特定周波数バンドパスフィルタ１３から入力される特定周波数信号を反転及び増幅し、異音打ち消し信号として出力する。
【００９１】
加算手段１７は、反転増幅器１５から入力される異音打ち消し信号と、オーディオ・プリアンプ１６から入力される音声信号（視聴用音声信号）と、を加算して得られる信号を出力し、オーディオ・メインアンプ１８は、該信号を増幅して出力する。
【００９２】
スピーカ１９は、オーディオ・メインアンプ１８から入力される信号を音声化して出力する。
【００９３】
このため、スピーカ１９から出力される音声には、視聴用音声の他に、異音打ち消し信号を音声化した音声、すなわち、ＰＤＰ１０から発生される異音を打ち消す異音打ち消し音が含まれる。
【００９４】
この異音打ち消し音は、ＰＤＰ１０の駆動時にＰＤＰ１０より発生する異音とは位相が反転した音声であるため、異音はこの異音打ち消し音により打ち消されて抑制される。
【００９５】
以上のような実施例１に係るプラズマ表示装置１００によれば、プラズマディスプレイパネル１０と、プラズマディスプレイパネル１０の駆動信号を生成する駆動信号生成手段１１と、駆動信号生成手段１１により生成された駆動信号から、プラズマディスプレイパネル１０の駆動時に該プラズマディスプレイパネル１０から発生することが想定される音の周波数成分の信号を抽出する特定周波数バンドパスフィルタ１３と、特定周波数バンドパスフィルタ１３により抽出された信号を反転して出力する反転増幅器１５と、反転増幅器１５より出力される信号を音声化して出力するスピーカ１９と、を備えるので、プラズマディスプレイパネル１０の駆動時に該プラズマディスプレイパネル１０から発生する異音を打ち消して抑制することができる。
【００９６】
しかも、ＰＤＰ１０の駆動信号から信号処理により異音打消し信号を作り出しているので、特許文献１の問題は発生しない。すなわち、視聴用音声の音量・音質などを損なうといった弊害の無い異音低減が可能となる。
【実施例２】
【００９７】
実施例２では、ＰＤＰ１０から発生する異音の大きさを解析し、その大きさに応じて異音打ち消し音の大きさを変更する例について説明する。
【００９８】
図５は実施例２に係るプラズマ表示装置２００の構成を示すブロック図である。
【００９９】
プラズマ表示装置２００の構成要素のうち、上記の実施例１に係るプラズマ表示装置１００におけるのと同様の構成要素には同一の符号を付し、重複する説明については一部を省略する。
【０１００】
図５に示すように、プラズマ表示装置２００は、上記の実施例１に係るプラズマ表示装置１００の構成に加えて、特定周波数成分解析手段２１と、異音打ち消し信号増幅率判定手段２２と、異音打ち消し信号増幅率出力手段２３と、を備えている。
【０１０１】
すなわち、プラズマ表示装置２００は、表示動作を行うＰＤＰ１０と、ＰＤＰ１０を駆動させる駆動波形（駆動信号）を入力される画像信号に基づき生成する駆動波形生成手段１１と、この駆動波形生成手段１１により生成された駆動信号に基づきＰＤＰ１０を駆動させるドライブ回路１２と、ＰＤＰ１０の駆動時に該ＰＤＰ１０から発生することが想定される音の周波数成分の信号を、駆動波形生成手段１１により生成された駆動信号から抽出する特定周波数バンドパスフィルタ１３と、駆動波形生成手段１１により生成された駆動信号の中から選択された信号を特定周波数バンドパスフィルタ１３に入力させるセレクタ２４と、特定周波数バンドパスフィルタ１３により抽出する信号の周波数（特定周波数）を設定する打ち消し対象ノイズ周波数設定手段１４と、特定周波数バンドパスフィルタ１３により抽出された信号を反転及び増幅して出力する反転増幅器１５と、スピーカ１９より出力される視聴用音声の元となる音声信号（視聴用音声信号）を増幅して出力するオーディオ・プリアンプ１６と、このオーディオ・プリアンプ１６より出力される音声信号と、反転増幅器１５より出力される信号と、を加算して出力する加算手段１７と、この加算手段１７より出力される信号を増幅して出力するオーディオ・メインアンプ１８と、このオーディオ・メインアンプ１８より出力される信号を音声化して出力（放音）するスピーカ１９と、ＰＤＰ１０の駆動時に該ＰＤＰ１０から発生することが想定される異音の大きさを、駆動信号生成手段１１により生成された駆動信号に基づいて解析する特定周波数成分解析手段２１と、この特定周波数成分解析手段２１による解析結果に応じて、特定周波数バンドパスフィルタ１３による抽出後の信号の増幅率を設定する異音打ち消し信号増幅率判定手段２２と、この異音打ち消し信号増幅率判定手段２２により設定された増幅率での信号増幅を反転増幅器１５に対して指令する異音打ち消し信号増幅率出力手段２３と、を備えて構成されている。
【０１０２】
次に、動作を説明する。
【０１０３】
本実施例の場合、セレクタ２４は、スイッチ２４１の切り替わりにより選択された信号（駆動波形生成手段１１から入力される駆動信号のうちの何れかの信号）を、特定周波数バンドパスフィルタ１３だけでなく、特定周波数成分解析手段２１にも出力する。
【０１０４】
特定周波数成分解析手段２１は、駆動波形生成手段１１からセレクタ２４を介して入力される駆動波形に基づいて、ＰＤＰ１０の駆動時に該ＰＤＰ１０から発生することが想定される異音の大きさを解析し、その解析結果を異音打ち消し信号増幅率判定手段２２に出力する。
【０１０５】
すなわち、特定周波数成分解析手段２１は、ＰＤＰ１０の駆動時に該ＰＤＰ１０から発生することが想定される音（異音）の周波数成分の信号（特定周波数信号）の大きさ（利得）を、駆動波形生成手段１１からセレクタ２４を介して入力される駆動波形に基づいて解析する。
【０１０６】
ここで、特定周波数成分解析手段２１による解析対象の信号の周波数（特定周波数）は、打ち消し対象ノイズ周波数設定手段１４の制御下で設定される。
【０１０７】
すなわち、打ち消し対象ノイズ周波数設定手段１４は、特定周波数バンドパスフィルタ１３に対して設定するのと同一の設定値を、特定周波数成分解析手段２１に対しても設定する。
【０１０８】
こうして、特定周波数成分解析手段２１は、ＰＤＰ１０の種類とその駆動方法に応じた最適な周波数について、その周波数成分の大きさを解析し、その解析結果（異音の大きさを示す情報）を、異音打ち消し信号増幅率判定手段２２に対して出力することとなる。
【０１０９】
なお、特定周波数成分解析手段２１が解析する周波数成分の大きさは、ＰＤＰ１０の駆動中において、駆動信号の変化に応じて随時変化する。具体的には、画像の平均輝度や輝度分布に応じて変動する。
【０１１０】
また、異音打ち消し信号増幅率判定手段２２は、特定周波数成分解析手段２１から入力される解析結果、すなわち、ＰＤＰ１０の駆動時に該ＰＤＰ１０から発生することが想定される異音の大きさに応じて、反転増幅器１５による信号の増幅率、すなわち、特定周波数バンドパスフィルタ１３による抽出後の信号の増幅率を判定する。
【０１１１】
すなわち、異音打ち消し信号増幅率判定手段２２は、反転増幅器１５の最適な増幅率を判定し、その判定結果を異音打ち消し信号増幅率出力手段２３に対して出力する。
【０１１２】
なお、異音打ち消し信号増幅率判定手段２２は、例えば、特定周波数成分解析手段２１から入力される解析結果と、該解析結果に応じた最適な増幅率と、を対応付けて記憶保持したルックアップテーブル（図示略）を備えており、このルックアップテーブルを参照することにより、特定周波数成分解析手段２１から入力される解析結果に応じた最適な増幅率を判定する。
【０１１３】
異音打ち消し信号増幅率出力手段２３は、反転増幅器１５に対し、異音打ち消し信号増幅率判定手段２２から入力される判定結果に応じた増幅率で信号を増幅させるための増幅率制御信号を出力する。
【０１１４】
反転増幅器１５は、特定周波数信号を増幅及び反転し、異音打ち消し信号として出力する。ここでの増幅率は、異音打ち消し信号増幅率出力手段２３から入力される増幅率制御信号に従った増幅率である。
【０１１５】
加算手段１７は、反転増幅器１５から入力される異音打ち消し信号と、オーディオ・プリアンプ１６から入力される音声信号（視聴用音声信号）と、を加算して得られる信号を出力し、オーディオ・メインアンプ１８は、該信号を増幅して出力する。
【０１１６】
スピーカ１９は、オーディオ・メインアンプ１８から入力される信号を音声化して出力する。
【０１１７】
このため、スピーカ１９から出力される音声には、視聴用音声の他に、異音打ち消し信号を音声化した音声、すなわち、ＰＤＰ１０から発生される異音を打ち消す異音打ち消し音が含まれる。
【０１１８】
この異音打ち消し音は、ＰＤＰ１０の駆動時にＰＤＰ１０より発生する異音とは位相が反転した音声であるため、異音はこの異音打ち消し音により打ち消されて抑制される。
【０１１９】
しかも、実施例２の場合には、異音打ち消し信号は、ＰＤＰ１０の駆動時にＰＤＰ１０より発生する異音の大きさに応じて、増幅率が設定されているので、実施例１の場合よりも好適に、異音を打ち消すことができる。
【０１２０】
以上のような実施例２によれば、特定周波数成分解析手段２１により、ＰＤＰ１０から発生する異音の大きさを解析（予測）し、その結果に応じて最適な増幅率（利得）で異音打ち消し信号を生成し、その異音打ち消し信号を音声化した音声をスピーカ１９から出力するので、実施例１の場合よりも異音の打ち消し効果が高くなる。
【０１２１】
なお、上記の実施例では、特定周波数バンドパスフィルタ１３が、帯域可変フィルタからなり、打ち消し対象ノイズ周波数設定手段１４による制御下で通過帯域を変更する例を説明したが、例えば、特定周波数バンドパスフィルタ１３は、通過帯域が各々異なるとともに、各々の通過帯域が固定の複数のバンドパスフィルタを備えて構成され、打ち消し対象ノイズ周波数設定手段１４による制御下で、これら複数のバンドパスフィルタの中から、打ち消し対象ノイズ周波数設定手段１４による設定値と通過帯域が対応するバンドパスフィルタをスイッチ切り替えにより選択するようにしても良い。すなわち、複数のバンドパスフィルタの中から選択されたバンドパスフィルタに対し、駆動波形生成手段１１からセレクタ２４を介して駆動波形を入力し、該選択されたバンドパスフィルタが駆動波形から特定周波数信号を抽出し、該抽出された特定周波数信号を反転増幅器１５に対して出力する。
【０１２２】
また、上記の実施例では、打ち消し対象ノイズ周波数設定手段１４が、ＰＤＰの種類と駆動方法の組み合わせに応じて、特定周波数バンドパスフィルタ１３の通過帯域の設定値を選択する例を説明したが、プラズマ表示装置１００に組み込まれるＰＤＰ１０の種類が定まっている場合には、駆動方法のみに応じて選択すると良い。逆に、プラズマ表示装置１００に組み込まれるＰＤＰ１０の駆動方法が定まっている場合には、ＰＤＰ１０の種類のみに応じて選択すると良い。
【図面の簡単な説明】
【０１２３】
【図１】プラズマディスプレイパネルの構造を示す断面図である。
【図２】実施例１に係るプラズマ表示装置の構成を示すブロック図である。
【図３】セレクタの構成を示す図である。
【図４】打ち消し対象ノイズ周波数設定手段が備える不揮発性メモリの記憶内容を示す図である。
【図５】実施例２に係るプラズマ表示装置の構成を示すブロック図である。
【符号の説明】
【０１２４】
１０    プラズマディスプレイパネル
１１    駆動信号生成手段
１３    特定周波数バンドパスフィルタ（バンドパスフィルタ）
１４    打ち消し対象ノイズ周波数設定手段（周波数設定手段）
１５    反転増幅器（信号反転手段、信号反転増幅手段）
１９    スピーカ
１００  プラズマ表示装置
２１    特定周波数成分解析手段（音量解析手段）
２２    異音打ち消し信号増幅率判定手段（増幅率設定手段を構成する）
２３    異音打ち消し信号増幅率出力手段（増幅率設定手段を構成する）
２００  プラズマ表示装置
【図１】
2007286543.tif 000003
【図２】
2007286543.tif 000004
【図３】
2007286543.tif 000005
【図４】
2007286543.tif 000006
【図５】
2007286543.tif 000007